(57)【要約】【課題】取り付けが簡単であり、確実に忘れ物が存在することを利用者に報知することで忘れ物を防止することのできるセキュリティーシステム及びそのプログラムを提供する。【解決手段】本発明の第１の実施形態であるセキュリティーシステムは、携帯電話機１０と、携帯電話機１０に搭載されるリーダ／ライタ１１と、携帯品２０に貼付又は装着されるＩＣタグ２１と、を有して構成される。リーダ／ライタ１１とＩＣタグ２１とは、所定時間毎に通信し、通信不可能となると携帯電話機１０を用いて第１警報を報知し、再度通信可能となると第２警報を報知する。したがって、本発明によれば、簡単にセキュリティーシステムを構築することができるだけでなく、忘れ物等の存在を確実に利用者へ報知することができる。【選択図】        図１
2004287713.tif 000002
【特許請求の範囲】
【請求項１】
少なくとも２以上の送受信機からなり、一方の送受信機を対象に装着してなるセキュリティーシステムにおいて、
前記一方の送受信機は、他方の送受信機から所定時間毎に送信される無線電波により動作し、
前記他方の送受信機は、前記一方の送受信機との送受信が不可能となった場合、警報を報知することを特徴とするセキュリティーシステム。
【請求項２】
対象に装着されるＩＣタグと、
前記ＩＣタグと所定時間毎に通信する機能を備えたリーダ／ライタと、
前記リーダ／ライタを搭載した携帯情報端末と、から構成され、
前記携帯情報端末は、前記リーダ／ライタと前記ＩＣタグとの通信が不可能となった場合、警報を報知することを特徴とするセキュリティーシステム。
【請求項３】
前記ＩＣタグは、
予め固有の識別番号が付与され、前記ＩＣタグに前記携帯情報端末から前記リーダ／ライタを介して、前記対象との関連付けデータを任意に設定変更可能であることを特徴とする請求項２記載のセキュリティーシステム。
【請求項４】
前記携帯情報端末は、
前記リーダ／ライタと前記ＩＣタグとの通信が不可能となった時点で第１の警報を発し、
前記リーダ／ライタと前記ＩＣタグとが、再度、通信可能となった時点で第２の警報を発する、
ことを特徴とする請求項２又は３記載のセキュリティーシステム。
【請求項５】
前記第１の警報及び前記第２の警報は、
互いに異なる着信音／着信発光／着信振動の何れか、又は、これらの組み合わせであり、前記携帯情報端末から任意に設定変更可能であることを特徴とする請求項４記載のセキュリティーシステム。
【請求項６】
前記携帯情報端末は、
前記リーダ／ライタと前記ＩＣタグとが通信可能な時点における該携帯情報端末の位置情報を検出して一時記憶し、
前記リーダ／ライタと前記ＩＣタグとの通信が不可能となった時点で前記一時記憶した前記位置情報を表示することを特徴とする請求項２から５の何れか１項に記載のセキュリティーシステム。
【請求項７】
前記携帯情報端末は、
前記リーダ／ライタと前記ＩＣタグとが通信可能な時点における該携帯情報端末の位置情報を、複数の基地局を利用して検出後、一時記憶し、
前記リーダ／ライタと前記ＩＣタグとの通信が不可能となった時点で前記一時記憶した前記位置情報を表示することを特徴とする請求項２から５の何れか１項に記載のセキュリティーシステム。
【請求項８】
前記携帯情報端末は、
ＧＰＳ機能を搭載し、基地局を介してＧＰＳ衛星との通信により、前記リーダ／ライタと前記ＩＣタグとが通信可能な時点における該携帯情報端末の位置情報を取得後、一時記憶し、
前記リーダ／ライタと前記ＩＣタグとの通信が不可能となった時点で前記一時記憶した位置情報を表示することを特徴とする請求項２から５の何れか１項に記載のセキュリティーシステム。
【請求項９】
前記携帯情報端末は、
前記リーダ／ライタと前記ＩＣタグとの通信が行われる毎に、前記基地局を介して前記ＧＰＳ衛星との通信により、該携帯情報端末の位置情報を取得し、該取得した位置情報を前記一時記憶された位置情報に上書き更新することを特徴とする請求項８記載のセキュリティーシステム。
【請求項１０】
対象に装着されるＩＣタグと、
前記ＩＣタグと通信するリーダ／ライタと、
前記リーダ／ライタを搭載した携帯情報端末と、から構成されるセキュリティーシステムのプログラムであって、
前記携帯情報端末に、
前記リーダ／ライタと前記ＩＣタグとの通信を制御する通信制御処理と、
前記ＩＣタグから送信される信号を所定時間以内に受信できない際に警報を報知する警報報知処理と、
を実行させることを特徴とするプログラム。
【発明の詳細な説明】
【０００１】
【発明の属する技術分野】
本発明は、セキュリティーシステム及びそのプログラムに関し、特にＩＣタグを用いたセキュリティーシステム及びそのプログラムに関する。
【０００２】
【従来の技術】
従来、忘れ物防止や置き引き等を防止するセキュリティーシステムとして、小型送信機と小型受信機とからなるシステムが知られている。このシステムは、例えば、送信機をかばんなどに取り付けておき、受信機を携帯するようにしておく。送信機から一定時間ごとに受信機が受信可能な周波数帯域の電波信号を送信し、受信機側で当該電波信号を受信できなくなった状態で警報音を報知するといったものである。
【０００３】
昨今の携帯電話機の普及に伴い、このような送信機としての機能を携帯電話機に搭載することも現実化されつつある。
【０００４】
以上のような技術としては、以下に示すようなものが公開特許公報として一般に知られている。
【０００５】
【特許文献１】
特開平１１−３４６３８９号公報
【特許文献２】
特開２０００−２８７２６５号公報
【特許文献３】
特開２００１−２８３３５１号公報
【０００６】
特許文献１の発明は、携帯電話機を親機とし、所持品に係着させる装置を子機とし、親機と子機との通信が不可能となった時点で親機が警報を発するようにすることで、忘れ物を防止する忘れ物防止機能付き携帯電話機が開示されている。
【０００７】
特許文献２の発明は、子機と親機としての携帯電話機とからなり、子機が携帯電話機から所定距離以上離れると、電波が届かなくなり、携帯電話機が音を発することにより、忘れ物や迷子を防止する忘れ物・迷子防止装置及び携帯端末機器が開示されている。
【０００８】
特許文献３の発明は、親機と子機とからなり、親機が一定の時間断続的に子機に電波を送信し、子機がこの電波を受信するとすぐに親機に電波を送信し、親機は子機からの電波を確認するといった周期を繰り返し、この周期が狂うと親機が反応してブザー等で知らせることで、忘れ物を防止する忘れ物防止機が開示されている。
【０００９】
【発明が解決しようとする課題】
しかしながら、上述した特許文献１〜３の発明は、何れも親機と子機との通信を実現するため、双方に電源を保持しなければならないという不具合があった。
【００１０】
例えば、子機の電源が切れてしまった場合、実際には忘れていないにも係らず、親機からの確認信号に対して返信することができず、常に忘れ物がある旨を報知し続ける状態が発生してしまうという問題があった。
【００１１】
最近では、ＲＦＩＤ（Ｒａｄｉｏ  Ｆｒｅｑｕｅｎｃｙ  Ｉｄｅｎｔｉｆｉｃａｔｉｏｎ）  技術が注目されている。このＲＦＩＤとは、電波を用いて非接触方式によりデータキャリアを認識する固体認識技術である。この技術によれば、従来と比較して情報の更新や追加が簡便である上、複数固体を一括認識することができる。このデータキャリア自体に電源は必要なく、データキャリアに対しての読み書きを行うリーダ／ライタの電源により動作する仕組みである。
【００１２】
本発明は、上記不具合に鑑みて成されたものであり、非接触方式により電源を必要としないタイプのＩＣタグを用いることで、取り付けが簡単であり、確実に忘れ物／迷子等が存在することを利用者に報知するセキュリティーシステム及びそのプログラムを提供することを目的とする。
【００１３】
【課題を解決するための手段】
かかる目的を達成するために、本発明のセキュリティーシステムは、少なくとも２以上の送受信機からなり、一方の送受信機を対象に装着してなるセキュリティーシステムにおいて、前記一方の送受信機は、他方の送受信機から所定時間毎に送信される無線電波により動作し、前記他方の送受信機は、前記一方の送受信機との送受信が不可能となった場合、警報を報知することを特徴とする。
【００１４】
本発明セキュリティーシステムは、対象に装着されるＩＣタグと、前記ＩＣタグと所定時間毎に通信する機能を備えたリーダ／ライタと、前記リーダ／ライタを搭載した携帯情報端末と、から構成され、前記携帯情報端末は、前記リーダ／ライタと前記ＩＣタグとの通信が不可能となった場合、警報を報知することを特徴とする。
【００１５】
また、本発明における前記ＩＣタグは、予め固有の識別番号が付与され、前記ＩＣタグに前記携帯情報端末から前記リーダ／ライタを介して、前記対象との関連付けデータを任意に設定変更可能であることを特徴とする。
【００１６】
また、本発明における前記携帯情報端末は、前記リーダ／ライタと前記ＩＣタグとの通信が不可能となった時点で第１の警報を発し、前記リーダ／ライタと前記ＩＣタグとが、再度、通信可能となった時点で第２の警報を発する、ことを特徴とする。
【００１７】
また、本発明における前記第１の警報及び前記第２の警報は、互いに異なる着信音／着信発光／着信振動の何れか、又は、これらの組み合わせであり、前記携帯情報端末から任意に設定変更可能であることを特徴とする。
【００１８】
また、本発明における前記携帯情報端末は、前記リーダ／ライタと前記ＩＣタグとが通信可能な時点における該携帯情報端末の位置情報を検出して一時記憶し、前記リーダ／ライタと前記ＩＣタグとの通信が不可能となった時点で前記一時記憶した前記位置情報を表示することを特徴とする。
【００１９】
また、本発明における前記携帯情報端末は、前記リーダ／ライタと前記ＩＣタグとが通信可能な時点における該携帯情報端末の位置情報を、複数の基地局を利用して検出後、一時記憶し、前記リーダ／ライタと前記ＩＣタグとの通信が不可能となった時点で前記一時記憶した前記位置情報を表示することを特徴とする。
【００２０】
また、本発明における前記携帯情報端末は、ＧＰＳ機能を搭載し、基地局を介してＧＰＳ衛星との通信により、前記リーダ／ライタと前記ＩＣタグとが通信可能な時点における該携帯情報端末の位置情報を取得後、一時記憶し、前記リーダ／ライタと前記ＩＣタグとの通信が不可能となった時点で前記一時記憶した位置情報を表示することを特徴とする。
【００２１】
また、本発明における前記携帯情報端末は、前記リーダ／ライタと前記ＩＣタグとの通信が行われる毎に、前記基地局を介して前記ＧＰＳ衛星との通信により、該携帯情報端末の位置情報を取得し、該取得した位置情報を前記一時記憶された位置情報に上書き更新することを特徴とする。
【００２２】
さらに、本発明のセキュリティーシステムのプログラムは、対象に装着されるＩＣタグと、前記ＩＣタグと通信するリーダ／ライタと、前記リーダ／ライタを搭載した携帯情報端末と、から構成されるセキュリティーシステムのプログラムであって、  前記携帯情報端末に、前記リーダ／ライタと前記ＩＣタグとの通信を制御する通信制御処理と、前記ＩＣタグから送信される信号を所定時間以内に受信できない際に警報を報知する警報報知処理と、を実行させることを特徴とする。
【００２３】
【発明の実施の形態】
以下、添付図面を参照しながら本発明に係るセキュリティーシステム及びそのプログラムの実施の形態を詳細に説明する。図１から図６に、本発明に係るセキュリティーシステム及びそのプログラムの実施形態を示す。
【００２４】
＜第１の実施形態＞
図１は、本発明の第１の実施形態であるセキュリティーシステムの概略構成を示す図である。図１に示すように、本発明の第１の実施形態であるセキュリティーシステムは、携帯電話機１０と、当該携帯電話機１０に搭載されるリーダ／ライタ１１と、携帯品（鞄、手帳、キーホルダー、財布など）２０に貼付又は装着されるＩＣタグ（ＩＣシール）２１と、を有して構成される。
【００２５】
携帯電話機１０は、通常の送受信機能を搭載する携帯電話機（ＰＨＳ機も含む）であり、表示部や操作部を備えている。この携帯電話機１０は、インターネット網を介して接続されるＷｅｂサイト上から当該システムを利用するためのアプリケーションプログラムをダウンロードして各種動作制御を行う。もちろん、このアプリケーションプログラムを携帯電話機１０の工場出荷時に携帯電話機１０に予め組み込んでおいてもよい。いずれにしても、アプリケーションプログラムを利用して各種動作制御を行うものとする。
【００２６】
リーダ／ライタ１１は、携帯電話機１０に外付けされ、携帯電話機から供給される電力により動作し、ＩＣタグ２１との間で無線により所定時間毎に通信を行う機能を備えている。なお、リーダ／ライタ１１は、外付けに限らず、予め携帯電話機１０に内蔵する構成としてもよい。このリーダ／ライタ１１とＩＣタグ２１との通信可能距離としては、５ｍ程度である。
【００２７】
ＩＣタグ（ＩＣシール）２１は、携帯品２０に貼付されて用いられ、特定の周波数帯域の無線電波を受信することにより動作する。このＩＣタグ２１は、ＣＰＵ２１１と、ＲＯＭ２１２と、ＲＡＭ２１３と、ＥＥＰＲＯＭ２１４と、コプロ（コプロセッサ）２１５と、Ｉ／Ｆ（インタフェース）２１６と、がＩＣチップとして形成され、その周縁を囲むようにアンテナ（ループアンテナ）２１７が配設されて構成される。
【００２８】
このＩＣタグ２１には、製造段階で予め固有の改ざん不可能な識別番号が付与されていると共に、利用者により携帯品の固別データが携帯電話機１０の操作部からリーダ／ライタ１１を介して書き込まれている。ここで書き込まれるデータは、以上に限定されず、利用者の住所、氏名、連絡先といったユーザ情報も書き込むことが可能である。
【００２９】
なお、ＩＣタグ２１の個数は、１つに限定されるものではなく、複数備える構成としてもよい。また、ＩＣタグ２１の形状は、カード形状を備えるものとして説明したが、ラベル型、コイン型、スティック型などと用途に併せて適宜用いることが可能であり、特に限定されるものではない。
【００３０】
図２は、本発明の第１の実施形態であるセキュリティーシステムを利用する際の初期設定動作を示すフローチャートである。まず、本システムの利用者（以下、ユーザと称す）は、ＩＣタグ２１を携帯品（例えば、カバンなど）２０に貼り付け又は装着し、リーダ／ライタ１１をユーザ所有の携帯電話機１０に装着する（ステップＳ１）。
【００３１】
次に、ユーザは、携帯電話機１０の操作メニューからＩＣタグの初期設定画面を立ち上げる（ステップＳ２）。ユーザは、操作部を用いてユーザ情報（氏名、住所、連絡先、ｅｔｃ．）を登録後（ステップＳ３）、携帯品２０の関連付けデータ（例えば、携帯品がカバンであることを示すデータ）を登録して（ステップＳ４）、初期設定処理を終了する。ここで初期設定されたデータは、リーダ／ライタ１１を介して無線通信により、ＩＣタグ２１のＥＥＰＲＯＭ２１４に書き込まれる。この際、書き込み対象外のＩＣタグがある場合には、これらを書き込み電波の電波範囲外としておく。
【００３２】
例えば、「カバン」、「財布」、「定期入れ」の夫々にＩＣタグを装着して用いる場合、ＩＣタグ２１ａ〜ｃに書き込まれる関連付けデータは、以下のようなデータとなる。なお、＜Ｎｏ．−−−−−−−−−−−−−＞は改ざん不可能な各ＩＣタグ固有の識別番号である。
2004287713.tif 000003
【００３３】
なお、これらのデータが書き込まれるＥＥＰＲＯＭ２１４は、電気的に書き換え可能な記録媒体であるため、一度初期設定処理により設定したデータでも、携帯電話機１０を介して所定の消去処理を行った後、再度新しい携帯品の関連付けデータを設定することも可能である。
【００３４】
図３は、本発明の第１の実施形態であるセキュリティーシステムの動作例を示すシーケンスチャートである。まず、リーダ／ライタ１１が装着された携帯電話機１０は、当該リーダ／ライタ１１を介して携帯品２０に貼り付けられたＩＣタグ２１に対して確認信号を送信する（ステップＳ１１）。携帯電話機１０は、リーダ／ライタ１１を介してＩＣタグ２１への確認信号を送信後、タイマ機能によりＩＣタグ２１からの応答信号を受信するまでの間隔をカウントする。
【００３５】
ＩＣタグ２１は、リーダ／ライタ１１を介して送信された確認信号を受信すると、応答信号を送信する（ステップＳ１２）。携帯電話機１０は、ＩＣタグ２１からの応答信号を受信すると、タイマ機能によるカウントを停止し、次にＩＣタグ２１に対して確認信号を送信するまでの所定時間をタイマ機能によりカウントする。
【００３６】
携帯電話機１０は、ＩＣタグ２１からの応答信号が返信される間、すなわち、ＩＣタグ２１と通信可能状態の場合には、ステップＳ１１の処理を繰り返し行う。ＩＣタグ２１は、リーダ／ライタ１１を介して送信される確認信号を受信する毎に、応答信号の送信を行う（ステップＳ１２）。
【００３７】
携帯電話機１０は、リーダ／ライタ１１を介してＩＣタグ２１に対して確認信号を送信後、タイマ機能により応答信号を受信するまでの間隔が所定値を超過した場合（通信不可能状態）、ＩＣタグ２１からの応答信号が無いと判断し（ステップＳ１３）、ユーザに第１警報（携帯品２０を忘れている旨）を報知する（ステップＳ１４）。
【００３８】
ユーザは、携帯電話機１０を介して第１警報が報知されると、リーダ／ライタ１１を装着した状態の携帯電話機１０を所持したまま、携帯品２０を置き忘れたと思われる場所へ出向いて当該携帯品２０を探す。なお、ユーザは、必ずしも第１警報が報知された直後に携帯品２０を探す必要はない。
【００３９】
携帯電話機１０は、ユーザに第１警報を報知した後、再度、リーダ／ライタ１１を介してＩＣタグ２１へ定時間毎に確認信号を送信し（ステップＳ１５）、ＩＣタグ２１からの応答信号の有無を確認する（ステップＳ１６）。ステップＳ１６において、ＩＣタグ２１からの応答信号がない場合には（応答なし）、再度、第１警報を報知する（ステップＳ１４）。
【００４０】
ユーザは、リーダ／ライタ１１が装着された携帯電話機１０を所持した状態で置き忘れた携帯品２０の近隣（通信可能状態）へ移動すると、
ＩＣタグ２１は、リーダ／ライタ１１を介して送信された確認信号に対する応答信号を送信する（ステップＳ１７）。
【００４１】
携帯電話機１０は、ステップＳ１６において、ＩＣタグ２１からの応答信号を受信すると（応答あり）、ユーザに第１警報とは異なる第２警報（忘れ物＜携帯品２０＞が近隣に存在する旨）を報知する（ステップＳ１８）。
【００４２】
ここでの警報とは、着信音（着信メロディー）／着信発光／着信振動（バイブレーション機能）の何れか、又は、これらの組み合わせである。例えば、警報として着信音を設定する場合には、ユーザ所望の音種を選択設定することが可能である。また、第１警報と第２警報とは、それぞれ異なるものであればよく、何れも着信音を設定した場合には、異なる音種であればよい。さらに、第１警報を着信音、第２警報を着信発光あるいは着信振動といった設定も任意であり、これらの設定は携帯情報端末から変更可能である。
【００４３】
上述したように、リーダ／ライタ１１とＩＣタグ２１との通信可能距離は、略５ｍ程度である。したがって、ユーザは、置き忘れた携帯品２０が現在位置から略５ｍ程度の距離（半径略５ｍ以内）に存在することを認識できる。
【００４４】
本発明の第１の実施形態によれば、非接触方式のＩＣタグを携帯品に貼り付け又は装着し、リーダ／ライタを携帯電話機に装着することで簡単にセキュリティーシステムを構築することができる。
【００４５】
また、ＩＣタグは、携帯電話機に装着されたリーダ／ライタ１１から送信された確認信号を受信し、当該受信した確認信号（無線電波）を電力に変換してＩＣチップを駆動することにより、応答信号を送信することができるので、電源を搭載する必要がない。したがって、従来のように電池切れによりシステムを利用できないといった不具合が生じることがない。
【００４６】
さらに、本発明の第１の実施形態において、携帯電話機１０にＩＣタグ２１から返信される信号（応答信号）の強度を測定する機能を設け、置き忘れた携帯品２０の捜索時に応答信号の受信強度に基づいて、着信音量や発光パターン、振動パターンなどを自動的に変更するように制御してもよい。この制御モードは、第２警報を報知した後、ユーザ自らが携帯電話機の操作部からモード切替設定を行っても、携帯電話機１０のアプリケーションプログラムとして、第２警報を報知後、自動的にモード切替を行うようにしてもよい。また、リーダ／ライタ１１とＩＣタグ２１との通信可能距離を、例えば、略５ｍモードと略１０ｃｍモードの２つのモードに切り替え可能な構成にし、略５ｍモードで携帯品２０の概略の捜索範囲を認知し、略１０ｃｍモードに切り替えて携帯品２０の位置を特定させるようにしてもよい。
【００４７】
＜第２の実施形態＞
図４は、本発明の第２の実施形態であるセキュリティーシステムの概略構成を示す図である。図４において、本発明の第２の実施形態であるセキュリティーシステムは、上述した本発明の第１の実施形態の構成に加え、携帯電話機１０にＧＰＳ機能を搭載し、さらに、基地局３０と、該基地局３０と通信するＧＰＳ衛星４０と、を有して構成される。
【００４８】
携帯電話機１０は、第１の実施形態と同様に、通常の通信機能を備え、操作部、表示部を具備するものであるが、新たにＧＰＳ機能を搭載している。
【００４９】
このＧＰＳ機能とは、携帯電話機１０の自己位置情報を検出する機能である。通常、携帯電話機１０の自己位置情報を検出する場合、所定の操作により携帯電話機１０からＧＰＳ信号を送信し、当該携帯電話機１０から基地局３０に無線通信回線網を介してアクセス後、自己位置の検出要求を送信する。ＧＰＳ衛星４０は、携帯電話機１０から送信されたＧＰＳ信号をキャッチすると、基地局３０に対して携帯電話機１０の位置情報（緯度、経度、高度）を送信する。基地局３０は、ＧＰＳ衛星４０から送信された位置情報を、例えば、住所情報あるいは地図情報として携帯電話機１０へ送信する。以上により、携帯電話機１０の自己位置情報を取得することができる。
【００５０】
本発明の第２の実施形態は、リーダ／ライタ１１とＩＣタグ２１とが通信可能状態における携帯電話機１０（リーダ／ライタ１１が装着されている）の自己位置情報をＧＰＳ機能により取得しておき、通信不可能状態となった場合に、携帯電話機１０を介してこの自己位置情報をユーザに通知するものである。
【００５１】
図５は、本発明の第２の実施形態であるセキュリティーシステムの動作例を示すシーケンスチャートである。まず、リーダ／ライタ１１が装着された携帯電話機１０は、上述した第１の実施形態と同様に、ＩＣタグ２１に対して確認信号を送信する（ステップＳ２１）。
【００５２】
ＩＣタグ２１は、リーダ／ライタ１１を介して送信された確認信号を受信すると、応答信号を送信する（ステップＳ２２）。
【００５３】
携帯電話機１０は、リーダ／ライタ１１を介してＩＣタグ２１からの応答信号を受信すると、ＧＰＳ機能によりＧＰＳ信号を送信し（ステップＳ２３）、自己位置情報の取得要求を基地局３０に対して送信する（ステップＳ２４）。
【００５４】
基地局３０は、ＧＰＳ衛星４０との通信により、携帯電話機１０の位置情報（緯度、経度、高度）を取得し（ステップＳ２５）、この取得した位置情報を携帯電話機１０へ送信する（ステップＳ２６）。
【００５５】
携帯電話機１０は、基地局３０から送信された位置情報を取得すると、取得した位置情報及び当該位置情報の取得要求を送信した時刻情報を記憶する（ステップＳ２７）。
【００５６】
なお、リーダ／ライタ１１を介して送信される確認信号に対してＩＣタグ２１から応答信号が返信され、当該応答信号をリーダ／ライタ１１で受信可能な状況下、つまり、通信可能状態の場合には、以上のステップＳ２１〜Ｓ２７までの一連の処理が繰り返し行われる。
【００５７】
また、携帯電話機１０の位置情報取得処理に関しては、ユーザが特別な処理を行う必要はなく、予めモード設定等を行っておくことにより自動的に取得処理を行う。
【００５８】
ここで、リーダ／ライタ１１とＩＣタグ２１とが通信不可能状態となった場合を説明する。携帯電話機１０は、ステップＳ２７において、位置情報と時刻情報とを一時記憶すると、再び、ＩＣタグ２１に対して確認信号を送信する（ステップＳ２８）。
【００５９】
しかしながら、ＩＣタグ２１が貼り付けられた又は装着された携帯品２０が置き忘れられ、通信不可能状態にある場合には、当該ＩＣタグ２１は、リーダ／ライタ１１を介して送信される確認信号を受信することができないので、応答信号を送信することができない。
【００６０】
そこで、携帯電話機１０は、リーダ／ライタ１１を介して確認信号を送信後、タイマ機能によりＩＣタグ２１からの応答信号を受信するまでの間隔が所定値を超過すると、応答信号が無いと判断し（ステップＳ２９）、上記一時記憶した位置情報並びに時刻情報を表示部に表示する（ステップＳ３０）。
【００６１】
図６は、携帯電話機の表示部に表示される位置情報及び時刻情報の表示画面例を示す図である。
図６（ａ）の場合、「忘れ物情報」として、何を忘れているか（カバン）、何処に忘れているか（住所表示）、何時ごろ忘れたものか（時刻表示）、が表示されている。この場合、全て文字情報として表示される。
また、図６（ｂ）の場合、何処に忘れているか（地図表示）、何を忘れているか（財布）、何時ごろ忘れているか（時刻表示）が表示されている。この場合、地図情報はグラフィックで表示され、それ以外の情報は文字情報として表示される。
【００６２】
本発明の第２の実施形態によれば、リーダ／ライタ１１とＩＣタグ２１とが通信可能状態である時の携帯電話機１０の位置情報を取得しておき、通信不可能状態となった際に当該取得した位置情報を携帯電話機１０に表示させることにより、ユーザは、忘れ物の存在する位置情報を容易に把握することができる。
【００６３】
また、本発明の第２の実施形態においては、位置情報の取得にＧＰＳ機能を用いる方法を示したが、これに限定されるものではない。
【００６４】
例えば、図７に示すように、携帯電話機１０から一定時間毎に電波を送信し、当該電波をキャッチした複数の基地局３１〜３３の間でその受信強度から携帯電話機１０の大まかな位置情報を検出するといった方法も可能である。この場合、複数の基地局間（３１〜３３）における電波の信強度に基づく位置情報の算出処理は、当該携帯電話機１０とインターネット接続されるサーバ５０で行うようにするとよい。携帯電話機１０は、自己位置情報を検出する際には、このサーバ５０にアクセスして位置情報を取得する。
【００６５】
なお、上述した実施形態は本発明に好適な実施形態であり、本発明の主旨を逸脱しない範囲内において種々変形して実施することが可能である。
【００６６】
例えば、本発明の第１の実施形態と第２の実施形態とを組み合わせた構成とすることも可能である。この場合、忘れ物が存在する時点（リーダ／ライタ１１とＩＣタグ２１との通信が不可能）で第１警報を報知する。次に、ＧＰＳ機能により携帯電話機１０の位置情報を表示部に表示し、この位置情報に基づいてユーザが忘れ物を探しに行き、リーダ／ライタ１１とＩＣタグ２１との通信が可能となった時点で第２警報を報知するようにすることも可能である。
【００６７】
また、初期設定時にＩＣタグ２１に書き込んだ情報（ユーザ情報、携帯品の関連付けデータなど）を、通信回線網を介して接続される第３者機関のサーバなどに登録しておき、例えば、駅や警察などの公的機関における遺失物の引渡し時の認証情報として利用することも可能である。
【００６８】
なお、上述した実施形態は、携帯品の忘れ物という前提において説明したものであるが、特に財布などの場合には盗難にあうといった可能性があるため、ＩＣタグを財布に貼り付け又は装着しておくことで、盗難にあった場合でも、本システムを用いて財布を捜索することが可能である。
【００６９】
また、子供が携帯する物品（例えば、名札、靴、洋服など）にＩＣタグを貼り付けておくことで、迷子になってしまう状況を未然に防いだり、仮に迷子になってしまった場合でも、本システムを用いて容易に捜索を行うことが可能である。
【００７０】
また、添乗員が同行するツアー旅行の場合には、旅行客のツアーバッジ等にＩＣタグを貼り付けておくことで、添乗員による人数確認やはぐれた人の捜索等に用いることも可能である。
【００７１】
また、本システムによれば、携帯電話機を置き忘れた場合でも、ＩＣタグを貼り付けた物品を携帯していれば、当該携帯電話機（リーダ／ライタ）とＩＣタグとの通信が不可能な状態（一定距離離れる）になると、携帯電話機が着信音を鳴動、発光あるいは振動するので、即座に携帯電話機を置き忘れたことを認識することが可能である。
【００７２】
さらに、店舗内に陳列される商品に予めＩＣタグを貼り付け、店員が携帯電話機を所有するようにしておき、あるいは、その携帯電話機を出入口に置いておき、開店前に商品に貼り付けられたＩＣタグとの関連付け処理を行っておくことによる万引き防止システムとしての適用も可能である。
【００７３】
【発明の効果】
以上の説明から明らかなように、本発明によれば、非接触方式のＩＣタグを携帯品に貼り付け又は装着し、当該ＩＣタグと通信するリーダ／ライタをユーザが所有する携帯電話機に装着するだけで、簡単にセキュリティーシステムを構築することができる。
【００７４】
また、本発明によれば、ＩＣタグがリーダ／ライタからの送信された無線電波を電力に変換して応答信号を送信するため電源を搭載する必要がないので、従来のように電池切れによりシステムを利用できないといった不具合を十分に解消することができる。
【００７５】
また、本発明によれば、忘れ物が存在することを報知する警報、忘れ物が近くに存在することを示す警報、を音、発光、振動、などにより利用者に報知するので、忘れ物の存在を確実に報知することができる。
【００７６】
さらに、本発明によれば、リーダ／ライタとＩＣタグとが通信可能状態である時の携帯電話機の位置情報を取得しておき、通信不可能状態となった際に当該取得した位置情報を携帯電話機に表示させるので、ユーザは、忘れ物の存在する位置情報を容易に把握することができる。
【図面の簡単な説明】
【図１】本発明の第１の実施形態であるセキュリティーシステムの概略構成を示す図である。
【図２】本発明の第１の実施形態におけるＩＣタグの初期設定時の動作例を示すフローチャートである。
【図３】本発明の第１の実施形態による動作例を示すシーケンスチャートである。
【図４】本発明の第２の実施形態であるセキュリティーシステムの概略構成を示す図である。
【図５】本発明の第２の実施形態による動作例を示すシーケンスチャートである。
【図６】本発明の第２の実施形態における携帯電話機の表示画面例を示す平面図である。
【図７】複数の基地局による携帯電話機の位置情報検出を示すシステム構成図である。
【符号の説明】
１０  携帯電話機
１１  リーダ／ライタ
２０  携帯品
２１  ＩＣタグ（ＩＣシール）
３０  基地局
４０  ＧＰＳ衛星
５０  サーバ
２１１  ＣＰＵ
２１２  ＲＯＭ
２１３  ＲＡＭ
２１４  ＥＥＰＲＯＭ
２１５  コプロ
２１６  Ｉ／Ｆ（インタフェース）
２１７  アンテナ（ループアンテナ）
【図１】
2004287713.tif 000004
【図２】
2004287713.tif 000005
【図３】
2004287713.tif 000006
【図４】
2004287713.tif 000007
【図５】
2004287713.tif 000008
【図６】
2004287713.tif 000009
【図７】
2004287713.tif 000010
【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
対象に装着されるＩＣタグと、
前記ＩＣタグと所定時間毎に通信する機能を備えたリーダ／ライタと、
前記リーダ／ライタを搭載した携帯情報端末と、から構成され、
前記携帯情報端末は、
前記リーダ／ライタと前記ＩＣタグとの通信が不可能となった時点で第１の警報を発し、
前記リーダ／ライタと前記ＩＣタグとが、再度、通信可能となった時点で第２の警報を発し、
前記第１の警報及び前記第２の警報は、
互いに異なる着信音／着信発光／着信振動の何れか、又は、これらの組み合わせであり、前記携帯情報端末から任意に設定変更可能であることを特徴とするセキュリティーシステム。
【請求項２】
前記携帯情報端末は、
前記リーダ／ライタと前記ＩＣタグとの通信可能な時点における該携帯情報端末の位置情報を検出して一時記憶し、
前記リーダ／ライタと前記ＩＣタグとの通信が不可能となった時点で前記一時記憶した前記位置情報を表示することを特徴とする請求項１記載のセキュリティーシステム。
【請求項３】
対象に装着されるＩＣタグと、
前記ＩＣタグと所定時間毎に通信する機能を備えたリーダ／ライタと、
前記リーダ／ライタを搭載した携帯情報端末と、から構成され、
前記携帯情報端末は、
前記リーダ／ライタと前記ＩＣタグとが通信可能な時点における該携帯情報端末の位置情報を検出して一時記憶し、前記リーダ／ライタと前記ＩＣタグとの通信が不可能となった時点で、前記一時記憶した前記位置情報を表示することを特徴とするセキュリティーシステム。
【請求項４】
前記ＩＣタグは、
予め固有の識別番号が付与され、前記ＩＣタグに前記携帯情報端末から前記リーダ／ライタを介して、前記対象との関連付けデータを任意に設定変更可能であることを特徴とする請求項１から３の何れか１項に記載のセキュリティーシステム。
【請求項５】
前記携帯情報端末は、
前記リーダ／ライタと前記ＩＣタグとの通信が不可能となった時点で第１の警報を発し、
前記リーダ／ライタと前記ＩＣタグとが、再度、通信可能となった時点で第２の警報を発する、
ことを特徴とする請求項３又は４記載のセキュリティーシステム。
【請求項６】
前記第１の警報及び前記第２の警報は、
互いに異なる着信音／着信発光／着信振動の何れか、又は、これらの組み合わせであり、前記携帯情報端末から任意に設定変更可能であることを特徴とする請求項５記載のセキュリティーシステム。
【請求項７】
前記携帯情報端末は、
前記リーダ／ライタと前記ＩＣタグとが通信可能な時点における該携帯情報端末の位置情報を、複数の基地局を利用して検出後、一時記憶し、
前記リーダ／ライタと前記ＩＣタグとの通信が不可能となった時点で前記一時記憶した前記位置情報を表示することを特徴とする請求項１から６の何れか１項に記載のセキュリティーシステム。
【請求項８】
前記携帯情報端末は、
ＧＰＳ機能を搭載し、基地局を介してＧＰＳ衛星との通信により、前記リーダ／ライタと前記ＩＣタグとが通信可能な時点における該携帯情報端末の位置情報を取得後、一時記憶し、
前記リーダ／ライタと前記ＩＣタグとの通信が不可能となった時点で前記一時記憶した位置情報を表示することを特徴とする請求項１から６の何れか１項に記載のセキュリティーシステム。
【請求項９】
前記携帯情報端末は、
前記リーダ／ライタと前記ＩＣタグとの通信が行われる毎に、前記基地局を介して前記ＧＰＳ衛星との通信により、該携帯情報端末の位置情報を取得し、該取得した位置情報を前記一時記憶された位置情報に上書き更新することを特徴とする請求項８記載のセキュリティーシステム。
【請求項１０】
対象に装着されるＩＣタグと、
前記ＩＣタグと通信するリーダ／ライタと、
前記リーダ／ライタを搭載した携帯情報端末と、から構成されるセキュリティーシステムのプログラムであって、
前記携帯情報端末に、
前記リーダ／ライタと前記ＩＣタグとの通信を制御する通信制御処理と、
前記リーダ／ライタと前記ＩＣタグとが通信可能な時点における該携帯情報端末の位置情報を検出して一時記憶する位置情報検出／記憶処理と、
前記ＩＣタグから送信される信号を所定時間以内に受信できない際に警報を報知する警報報知処理と、
前記リーダ／ライタと前記ＩＣタグとの通信が不可能となった時点で、前記位置情報検出／記憶処理により一時記憶した前記位置情報を表示する位置情報表示処理と、
を実行させることを特徴とするプログラム。
【手続補正２】
【補正対象書類名】明細書
【補正対象項目名】００１３
【補正方法】変更
【補正の内容】
【００１３】
【課題を解決するための手段】
かかる目的を達成するために、請求項１記載の発明は、対象に装着されるＩＣタグと、前記ＩＣタグと所定時間毎に通信する機能を備えたリーダ／ライタと、前記リーダ／ライタを搭載した携帯情報端末と、から構成され、前記携帯情報端末は、前記リーダ／ライタと前記ＩＣタグとの通信が不可能となった時点で第１の警報を発し、前記リーダ／ライタと前記ＩＣタグとが、再度、通信可能となった時点で第２の警報を発し、前記第１の警報及び前記第２の警報は、互いに異なる着信音／着信発光／着信振動の何れか、又は、これらの組み合わせであり、前記携帯情報端末から任意に設定変更可能であることを特徴とする。


【手続補正３】
【補正対象書類名】明細書
【補正対象項目名】００１４
【補正方法】変更
【補正の内容】
【００１４】
請求項２記載の発明は、請求項１記載の発明において、前記携帯情報端末は、前記リーダ／ライタと前記ＩＣタグとの通信可能な時点における該携帯情報端末の位置情報を検出して一時記憶し、前記リーダ／ライタと前記ＩＣタグとの通信が不可能となった時点で前記一時記憶した前記位置情報を表示することを特徴とする。


【手続補正４】
【補正対象書類名】明細書
【補正対象項目名】００１５
【補正方法】変更
【補正の内容】
【００１５】
請求項３記載の発明は、対象に装着されるＩＣタグと、前記ＩＣタグと所定時間毎に通信する機能を備えたリーダ／ライタと、前記リーダ／ライタを搭載した携帯情報端末と、から構成され、前記携帯情報端末は、前記リーダ／ライタと前記ＩＣタグとが通信可能な時点における該携帯情報端末の位置情報を検出して一時記憶し、前記リーダ／ライタと前記ＩＣタグとの通信が不可能となった時点で、前記一時記憶した前記位置情報を表示することを特徴とする。


【手続補正５】
【補正対象書類名】明細書
【補正対象項目名】００１６
【補正方法】変更
【補正の内容】
【００１６】
請求項４記載の発明は、請求項１から３の何れか１項に記載の発明において、前記ＩＣタグは、予め固有の識別番号が付与され、前記ＩＣタグに前記携帯情報端末から前記リーダ／ライタを介して、前記対象との関連付けデータを任意に設定変更可能であることを特徴とする。
【手続補正６】
【補正対象書類名】明細書
【補正対象項目名】００１７
【補正方法】変更
【補正の内容】
【００１７】
請求項５記載の発明は、請求項３又は請求項４記載の発明において、前記リーダ／ライタと前記ＩＣタグとの通信が不可能となった時点で第１の警報を発し、前記リーダ／ライタと前記ＩＣタグとが、再度、通信可能となった時点で第２の警報を発する、ことを特徴とする。
【手続補正７】
【補正対象書類名】明細書
【補正対象項目名】００１８
【補正方法】変更
【補正の内容】
【００１８】
請求項６記載の発明は、請求項５記載の発明において、前記第１の警報及び前記第２の警報は、互いに異なる着信音／着信発光／着信振動の何れか、又は、これらの組み合わせであり、前記携帯情報端末から任意に設定変更可能であることを特徴とする。
【手続補正８】
【補正対象書類名】明細書
【補正対象項目名】００１９
【補正方法】変更
【補正の内容】
【００１９】
請求項７記載の発明は、請求項１から６の何れか１項に記載の発明において、前記リーダ／ライタと前記ＩＣタグとが通信可能な時点における該携帯情報端末の位置情報を、複数の基地局を利用して検出後、一時記憶し、前記リーダ／ライタと前記ＩＣタグとの通信が不可能となった時点で前記一時記憶した前記位置情報を表示することを特徴とする。


【手続補正９】
【補正対象書類名】明細書
【補正対象項目名】００２０
【補正方法】変更
【補正の内容】
【００２０】
請求項８記載の発明は、請求項１から６の何れか１項に記載の発明において、前記携帯情報端末は、ＧＰＳ機能を搭載し、基地局を介してＧＰＳ衛星との通信により、前記リーダ／ライタと前記ＩＣタグとが通信可能な時点における該携帯情報端末の位置情報を取得後、一時記憶し、前記リーダ／ライタと前記ＩＣタグとの通信が不可能となった時点で前記一時記憶した位置情報を表示することを特徴とする。
【手続補正１０】
【補正対象書類名】明細書
【補正対象項目名】００２１
【補正方法】変更
【補正の内容】
【００２１】
請求項９記載の発明は、請求項８記載の発明において、前記携帯情報端末は、前記リーダ／ライタと前記ＩＣタグとの通信が行われる毎に、前記基地局を介して前記ＧＰＳ衛星との通信により、該携帯情報端末の位置情報を取得し、該取得した位置情報を前記一時記憶された位置情報に上書き更新することを特徴とする。
【手続補正１１】
【補正対象書類名】明細書
【補正対象項目名】００２２
【補正方法】変更
【補正の内容】
【００２２】
請求項１０記載の発明は、対象に装着されるＩＣタグと、前記ＩＣタグと通信するリーダ／ライタと、前記リーダ／ライタを搭載した携帯情報端末と、から構成されるセキュリティーシステムのプログラムであって、前記携帯情報端末に、前記リーダ／ライタと前記ＩＣタグとの通信を制御する通信制御処理と、前記リーダ／ライタと前記ＩＣタグとが通信可能な時点における該携帯情報端末の位置情報を検出して一時記憶する位置情報検出／記憶処理と、前記ＩＣタグから送信される信号を所定時間以内に受信できない際に警報を報知する警報報知処理と、前記リーダ／ライタと前記ＩＣタグとの通信が不可能となった時点で、前記位置情報検出／記憶処理により一時記憶した前記位置情報を表示する位置情報表示処理と、を実行させることを特徴とする。